(57)【要約】【課題】解体することなくパチンコ遊技機及びスロットマシンのどちらも設置とすることができるとともに、載置台に設置する遊技機に応じて上部板材又は収容棚を容易に配設することができる島設備を提供する。【解決手段】床面に固設されるとともに、上下に延びる柱部が形成されたフレーム部Ｆと、遊技機を載置可能な載置台が取り付け可能とされた下部取付部材２ｂ、及び当該下部取付部材２ｂの両端部から延設された側板部２ａを有し、当該載置台３に載置される遊技機に応じて柱部に沿って上下方向に移動可能な載置手段１とを具備するとともに、側板部２ａは、載置台３に設置すべき遊技機に応じて、遊技機の上部を支持するための上部板材Ｎ又は遊技媒体を収容する容器を保持可能な収容棚Ｊを任意取り付け可能とされたものである。【選択図】図２７
2015016031.tif 000002
【特許請求の範囲】
【請求項１】
パチンコ遊技機及びスロットマシンから成る遊技機を任意選択的に設置可能な島設備であって、
床面に固設されるとともに、上下に延びる柱部が形成されたフレーム部と、
前記遊技機を載置可能な載置台が取り付け可能とされた下部取付部材、及び当該下部取付部材の両端部から延設された側板部を有し、当該載置台に載置される遊技機に応じて前記柱部に沿って上下方向に移動可能な載置手段と、
を具備するとともに、前記側板部は、前記載置台に設置すべき遊技機に応じて、遊技機の上部を支持するための上部板材又は遊技媒体を収容する容器を保持可能な収容棚を任意取り付け可能とされたことを特徴とする島設備。
【請求項２】
前記側板部の上端部には、前記載置台に設置すべき遊技機に応じて前記上部板材又は収容棚を取り付け可能なステーが形成されたことを特徴とする請求項１記載の島設備。
【請求項３】
前記ステーは、左右の前記側板部にそれぞれ突出形成されたことを特徴とする請求項２記載の島設備。
【発明の詳細な説明】
【技術分野】
【０００１】
本発明は、パチンコ遊技機及びスロットマシンから成る遊技機を任意選択的に設置可能な島設備に関するものである。
【背景技術】
【０００２】
パチンコ遊技機の島設備は、パチンコ店内ホールに設置され、複数のパチンコ遊技機が横並びに配設されるとともに、それらパチンコ遊技機に対して遊技球を補給するための補給レーン（遊技球補給手段）及び当該パチンコ遊技機から遊技球を回収するための回収レーン（遊技球回収手段）が配設されている。一方、パチスロ等のスロットマシンの島設備は、パチンコ遊技機の島設備と同様、パチンコ店内ホールに設置され、複数のスロットマシンが横並びに配設されるとともに、それらスロットマシンに対してメダルを補給するための補給コンベア（メダル補給手段）及び当該スロットマシンからメダルを回収するための回収コンベア（メダル回収手段）が配設されている。なお、かかる先行技術は、文献公知発明に係るものでないため、記載すべき先行技術文献情報はない。
【発明の概要】
【発明が解決しようとする課題】
【０００３】
しかしながら、上記従来の島設備においては、以下の如き問題があった。
パチンコ遊技機が設置された島設備をスロットマシンが設置された島設備に変更する場合、パチンコ遊技機とスロットマシンとでは外観や付帯設備、それに使用される遊技媒体の種類が遊技球とメダルとで異なるため、島設備を解体して新たに島設備を設置する必要があり、当該変更に伴うコストや工事期間を要するといった問題があった。
【０００４】
しかるに、パチンコ店内のホールの有効利用や当該ホールにおけるレイアウトの自由度の向上等を目的として、１つの島設備にパチンコ遊技機とスロットマシンとを任意選択的に設置するニーズが高まりつつあることから、本出願人は、かかるニーズに対応することを鋭意検討するに至った。すなわち、パチンコ遊技機とスロットマシンとを任意選択的に設置し得る島設備とする場合、島設備を構成するフレーム部において上下に延びる柱部を形成し、その柱部に沿って遊技機を載置する載置手段を上下方向に移動可能とするとともに、所定高さにて固定する構成を見出すに至った。
【０００５】
一方、載置手段にスロットマシンを設置する場合は、そのスロットマシンの上方にメダルを収容した収容箱を保持する収容棚が必要とされるのに対し、パチンコ遊技機を設置する場合は、収容棚は不要とされるものの、パチンコ遊技機の上部を支持するための上部板材が必要とされる。しかし、設置する遊技機に応じて載置手段を上下方向に移動させる構成においては、島設備側に上部板材や収容棚を配設するのが困難であるという問題があった。
【０００６】
本発明は、このような事情に鑑みてなされたもので、解体することなくパチンコ遊技機及びスロットマシンのどちらも設置とすることができるとともに、載置台に設置する遊技機に応じて上部板材又は収容棚を容易に配設することができる島設備を提供することにある。
【課題を解決するための手段】
【０００７】
請求項１記載の発明は、パチンコ遊技機及びスロットマシンから成る遊技機を任意選択的に設置可能な島設備であって、床面に固設されるとともに、上下に延びる柱部が形成されたフレーム部と、前記遊技機を載置可能な載置台が取り付け可能とされた下部取付部材、及び当該下部取付部材の両端部から延設された側板部を有し、当該載置台に載置される遊技機に応じて前記柱部に沿って上下方向に移動可能な載置手段とを具備するとともに、前記側板部は、前記載置台に設置すべき遊技機に応じて、遊技機の上部を支持するための上部板材又は遊技媒体を収容する容器を保持可能な収容棚を任意取り付け可能とされたことを特徴とする。
【０００８】
請求項２記載の発明は、請求項１記載の島設備において、前記側板部の上端部には、前記載置台に設置すべき遊技機に応じて前記上部板材又は収容棚を取り付け可能なステーが形成されたことを特徴とする。
【０００９】
請求項３記載の発明は、請求項２記載の島設備において、前記ステーは、左右の前記側板部にそれぞれ突出形成されたことを特徴とする。
【発明の効果】
【００１０】
請求項１の発明によれば、側板部は、載置台に設置すべき遊技機に応じて、遊技機の上部を支持するための上部板材又は遊技媒体を収容する容器を保持可能な収容棚を任意取り付け可能とされたので、解体することなくパチンコ遊技機及びスロットマシンのどちらも設置とすることができるとともに、載置台に設置する遊技機に応じて上部板材又は収容棚を容易且つ確実に配設することができる。
【００１１】
請求項２の発明によれば、側板部の上端部には、載置台に設置すべき遊技機に応じて上部板材又は収容棚を取り付け可能なステーが形成されたので、上部板材又は収容棚を所定の位置に確実且つ強固に取り付けることができる。
【００１２】
請求項３の発明によれば、ステーは、左右の側板部にそれぞれ突出形成されたので、上部板材又は収容棚をより容易且つ強固に取り付けることができる。
【図面の簡単な説明】
【００１３】
【図１】本発明の実施形態に係る島設備を示す全体正面図
【図２】同島設備を示す横断面図
【図３】同島設備における載置手段を示す全体正面図
【図４】同載置手段（載置台が前後方向第１位置にある状態）を示す縦断面図
【図５】同載置手段（載置台が前後方向第２位置にある状態）を示す縦断面図
【図６】同島設備における案内部を示す断面図
【図７】同島設備における操作手段を示す４面図
【図８】同操作手段を示す側面図であって、（ａ）操作手段が係止位置にある状態を示す側面図（ｂ）操作手段が解除位置にある状態を示す側面図
【図９】同操作手段の係止部（載置手段が第２位置にある状態）が被係止部に係止した状態を示す側面図
【図１０】同操作手段の係止部（載置手段が第２位置にある状態）が被係止部に係止した状態を示す正面図
【図１１】同操作手段の係止部（載置手段が第１位置にある状態）が被係止部に係止した状態を示す側面図
【図１２】同操作手段の係止部（載置手段が第１位置にある状態）が被係止部に係止した状態を示す正面図
【図１３】同島設備におけるガタ防止手段を示す３面図
【図１４】同ガタ防止手段が取り付けられた状態の載置手段を示す側面図
【図１５】同ガタ防止手段の操作状態を示す模式図
【図１６】同島設備における載置手段（第１位置にある状態）の側板部と柱部に形成されたストッパとの関係を示す模式図
【図１７】同島設備における載置手段（第２位置にある状態）の側板部と柱部に形成されたストッパとの関係を示す模式図
【図１８】同載置手段における載置台を示す平面図及び背面図
【図１９】図１８におけるＸＩＸ−ＸＩＸ線断面図
【図２０】同島設備における他の載置手段を示す全体正面図
【図２１】同島設備における載置手段を構成する下部取付部材を示す平面図及び正面図
【図２２】同島設備における載置手段を構成する側板部を示す正面図及び側面図
【図２３】図２２におけるＸＸＩＩＩ−ＸＸＩＩＩ線断面図
【図２４】同島設備における載置手段を構成する下部取付部材に側板部が取り付けられた状態を示す正面図
【図２５】図２４におけるＸＸＶ−ＸＸＶ線断面図
【図２６】同島設備における載置手段のステーに上部板材を取り付けた状態を示す正面図
【図２７】同島設備における載置手段のステーに収容棚を取り付けた状態を示す正面図
【図２８】同島設備における遊技球案内手段及びメダル案内手段を示す平面図
【図２９】同島設備における載置台に取付部材を取り付けた状態を示す断面図
【図３０】同島設備における載置台にパチンコ遊技機用保護部材及びスロットマシン用保護部材を取り付けた状態を示す平面図
【図３１】同島設備におけるパチンコ遊技機用保護部材を示す平面図及び側面図
【図３２】同島設備におけるスロットマシン用保護部材を示す平面図及び側面図
【図３３】同島設備における遊技球案内手段を示す側面図
【図３４】同島設備におけるメダル案内手段を示す側面図及び平面図
【図３５】同島設備における遊技球案内手段及びメダル案内手段を示す断面図
【図３６】同島設備における遊技球回収手段及びメダル回収手段を示す正面図
【図３７】同島設備における遊技球回収手段及びメダル回収手段を示す平面図
【図３８】同島設備における（ａ）遊技球回収手段（ｂ）メダル回収手段を示す断面図
【図３９】同島設備における遊技球補給手段及びメダル補給手段を示す平面図
【図４０】同島設備における遊技球補給手段及びメダル補給手段を示す断面図
【図４１】同島設備における遊技球補給手段における第１案内手段を示す正面図
【図４２】同島設備におけるメダル補給手段における第２案内手段を示す正面図
【発明を実施するための形態】
【００１４】
以下、本発明の実施形態について図面を参照しながら具体的に説明する。
本実施形態に係る島設備は、パチンコ遊技店内のホール等、遊技場の床に固定されるもので、図１、２に示すように、遊技球を遊技媒体として使用して遊技するパチンコ遊技機Ｐと、メダルを遊技媒体として使用して遊技するスロットマシンＳ（所謂「パチスロ」と称される遊技機）とから成る遊技機を任意選択的に設置可能とされるとともに、載置手段１と、遊技球回収手段４と、メダル回収手段５と、遊技球案内手段６と、メダル案内手段８と、遊技球補給手段１１と、メダル補給手段１２、操作手段１４と、ガタ防止手段１５と、ストッパ１７と、パチンコ遊技機用保護部材１８と、スロットマシン用保護部材１９と、取付部材２０とを有して構成されている。なお、図中符号１３は、遊技者が着座するための遊技機用椅子、符号Ｒは、島設備における各遊技機（パチンコ遊技機Ｐ又はスロットマシンＳ）に対して上方の部位に配設され、遊技機の遊技情報等を表示し得る上部ランプをそれぞれ示している。
【００１５】
本実施形態に係る島設備は、床面ｆに固設されたフレーム部Ｆを筐体として構成されており、当該フレーム部Ｆの所定位置には、複数の柱部Ｈ１〜Ｈ５が取り付けられるとともに、その隣接する柱部Ｈの間の部位には、載置台３を有した載置手段１が取り付けられている。かかる載置手段１は、図３〜５に示すように、側板部２ａと、下部取付部材２ｂと、ステー２ｃとを有し、載置台３が当該下部取付部材２ｂの所定部位に取り付けられて構成されている。
【００１６】
下部取付部材２ｂは、遊技機（パチンコ遊技機Ｐ又はスロットマシンＳ）を載置可能な載置台３が取り付けられるよう構成されたもので、図２１に示すように、その外周面（上面）に側板部用取付部２ｂａが形成されている。かかる側板部用取付部２ｂａは、同図中左右方向に延びた凹部から成り、所定位置（側板部２ａが取り付けられる位置）には、ボルト孔ｎ２が形成されている。
【００１７】
側板部２ａは、下部取付部材２ｂの両端部からそれぞれ延設されて成るもので、図２２、２３に示すように、板状部材の下部側を折り曲げ加工して得られたものである。かかる側板部２ａの下端部には、図２３に示すように、幅寸法が下部取付部材２ｂにおける側板部用取付部２ｂａの幅寸法と略同一（厳密には若干小さい寸法）に設定された被取付部２ａｄが形成されているとともに、上端部には、ステー２ｃが突出形成されている。
【００１８】
被取付部２ａｄは、下部取付部材２ｂにおける側板部用取付部２ｂａのボルト孔ｎ２に対応したボルト孔ｎ１が形成されている。そして、図２４、２５に示すように、被取付部２ａｄを側板部用取付部２ｂａに当接させつつボルト孔ｎ１、ｎ２を合致させた後、当該ボルト孔ｎ１、ｎ２にボルトｂ１を挿通させてナット等にて螺合させれば、側板部２ａの下端部が下部取付部材２ｂの両端部に固定されるようになっている。
【００１９】
ステー２ｃは、載置台３に設置すべき遊技機（パチンコ遊技機Ｐ又はスロットマシンＳ）に応じて上部板材Ｎ（図２６参照）又は収容棚Ｊ（図２７参照）を取り付け可能なもので、左右の側板部２ａにそれぞれ突出形成されている。すなわち、載置台３にパチンコ遊技機Ｐを設置する場合、図２６に示すように、一対のステー２ｃに上部板材Ｎの両端を支持させた後、ボルト等の汎用的な締結手段にて締結することで、載置手段１の上部に上部板材Ｎを形成し得るようになっている。この上部板材Ｎは、パチンコ遊技機Ｐが設置された状態で当該パチンコ遊技機Ｐの上面と対峙（当接又は近接）し得るもので、パチンコ遊技機Ｐの上部を支持又は遊技球の補給手段（不図示）を取り付け可能とされたものである。
【００２０】
一方、載置台３にスロットマシンＳを設置する場合、図２７に示すように、一対のステー２ｃに収容棚Ｊの両端を支持させた後、ボルト等の汎用的な締結手段にて締結することで、載置手段１の上部に収容棚Ｊを形成し得るようになっている。この収容棚Ｊは、スロットマシンＳが設置された状態で当該スロットマシンＳの上方に位置するもので、スロットマシンＳで使用される遊技媒体（メダル）を収容する容器を保持可能なものである。
【００２１】
しかして、本実施形態に係る側板部２ａによれば、その上端部にステー２ｃが形成されているので、載置台３に設置すべき遊技機に応じて上部板材Ｎ又は収容棚Ｊを任意取り付け可能とされている。また、ステー２ｃに上部板材Ｎ又は収容棚Ｊを取り付けることで、当該上部板材Ｎ又は収容棚Ｊと、一対の側板部２ａと、下部取付部材２ｂとで枠体が構成されることとなり、隣接する柱部（Ｈ１〜Ｈ５）の間で上下方向に摺動し得るようになっている。
【００２２】
さらに、下部取付部材２ｂは、上述した如く一対の側板部２ａが取り付けられるとともに、載置台３を前後方向第１位置Ｐｂ（図４参照）と前後方向第２位置Ｓｂ（図５参照）との何れかで固定可能とされている。より具体的には、本実施形態に係る載置台３は、図１８、１９に示すように、下側板部３ａと上側板部３ｂとを接合（接着等）させて成るもので、所定位置には、一端側に前進位置用ボルト挿通位置ｈ１及び他端側に後退位置用ボルト挿通位置ｈ２がそれぞれ設定された長孔ｈが形成されている。なお、同図中符号ｂは、下側板部３ａの突端部及び上面と、上側板部３ｂの突端部及びその近傍を覆って保護する金属製板材を示している。
【００２３】
そして、下部取付部材２ｂには、載置台３の前進位置用ボルト挿通位置ｈ１又は後退位置用ボルト挿通位置ｈ２と合致し得るボルト孔がそれぞれ形成されており、図４に示すように、前進位置用ボルト挿通位置ｈ１と下部取付部材２ｂのボルト孔を合致させつつボルトＢ３を螺合させることにより、載置台３を前後方向第１位置Ｐｂにて下部取付部材２ｂに固定させ得るとともに、図５に示すように、後退位置用ボルト挿通位置ｈ２と下部取付部材２ｂのボルト孔を合致させつつボルトＢ３を螺合させることにより、載置台３を前後方向第２位置Ｓｂにて下部取付部材２ｂに固定させ得るよう構成されている。
【００２４】
すなわち、本実施形態に係る載置台３は、載置された遊技機（パチンコ遊技機Ｐ又はスロットマシンＳ）に応じて前後方向（図３における紙面垂直方向）に移動して所定位置にて固定可能とされており、パチンコ遊技機Ｐが載置された状態の前後方向第１位置Ｐｂ（図４参照）と、スロットマシンＳが載置された状態の前後方向第２位置Ｓｂ（図５参照）との間で移動可能とされるとともに、当該前後方向第１位置Ｐｂの方が前後方向第２位置Ｓｂより前方の位置（遊技者側に突出した位置）に設定されている。
【００２５】
さらに、載置手段１の側板部２ａは、図１６、１７に示すように、柱部（Ｈ１〜Ｈ５）に対して幅寸法が異なる幅狭部２ａａ（幅寸法ｔ１）と幅広部２ａｂ（幅寸法ｔ２）とを有し（具体的には、幅寸法ｔ１＜幅寸法ｔ２）、その幅狭部２ａａと幅広部２ａｂとの間の境界に段部２ａｃが形成されている。そして、側板部２ａにおける幅広部２ａｂは、その幅寸法ｔ２が案内部Ｈ２ａの幅寸法より若干小さく設定されるとともに、幅狭部２ａａには、ガタ防止手段１５が配設されている。
【００２６】
一方、載置手段１が取り付けられる柱部（Ｈ１〜Ｈ５）には、図６に示すように、載置手段１を構成する枠体２の上下方向に対する移動を案内する案内部Ｈ２ａが形成されている。なお、柱部Ｈ２に形成された案内部Ｈ２ａについて説明するが、他の柱部に形成された案内部も同様の構成である。案内部Ｈ２ａは、柱部（Ｈ１〜Ｈ５）の内壁に上下方向に延びて形成された断面コ字状の溝形状から成り、この溝形状に枠体２の側板部２ａが上下方向に移動可能に嵌合されることにより、枠体２の上下方向に対する移動を案内し得るようになっている。しかして、載置台３は、載置された遊技機（載置しようとするパチンコ遊技機Ｐ又はスロットマシンＳ）に応じて柱部（Ｈ１〜Ｈ５）に沿って上下方向に移動可能とされているのである。
【００２７】
また、本実施形態に係る載置台３は、図２に示すように、枠体２と共に上下方向に移動可能とされ、パチンコ遊技機Ｐが載置された状態の第１位置Ｐａと、スロットマシンＳが載置された状態の第２位置Ｓａとの間で移動可能とされるとともに、当該第１位置Ｐａの方が第２位置Ｓａより高い位置に設定されている。すなわち、柱部（Ｈ１〜Ｈ５）の内壁には、上下一対のボルト及びナット等から成るボス部Ｂ１、Ｂ２（被係止部）（図１０、１２参照）が突出形成されており、載置台３を上側のボス部Ｂ１に係合することにより、パチンコ遊技機Ｐが載置された状態の第１位置Ｐａにて載置手段１を固定させ得るとともに、載置台３を下側のボス部Ｂ２に係合することにより、スロットマシンＳが載置された状態の第２位置Ｓａにて載置手段１を固定させ得るようになっている。
【００２８】
本実施形態に係る載置手段１には、その下部取付部材２ｂの両端部（左右両端部）にそれぞれ操作手段１４が取り付けられている。かかる操作手段１４は、柱部（Ｈ１〜Ｈ５）に形成されたボス部Ｂ１又はボス部Ｂ２に係止して載置手段１を第１位置Ｐａ又は第２位置Ｓａにて固定させるとともに、所定の操作によって当該係止を解除して当該載置手段１を柱部（Ｈ１〜Ｈ５）に対して上下方向に移動可能とさせ得るものとされている。
【００２９】
より具体的には、操作手段１４は、図７に示すように、下部取付部材２ｂの下面に固定される筐体Ｋと、係止部１４ａと、レバー部１４ｂと、付勢手段としてのコイルスプリング１４ｃとから主に構成されている。係止部１４ａは、金属製板状部材の一端をプレスにて折り曲げして形成して得られた部位から成り、図９〜１２で示すように、ボス部Ｂ１及びボス部Ｂ２と係合し得る弧状の切欠き１４ａａ、１４ａｂを有している。
【００３０】
しかして、本実施形態に係る操作手段１４（具体的には、係止部１４ａが形成された金属製板状部材）は、図８（ａ）に示すように、係止部１４ａをボス部Ｂ１又はボス部Ｂ２（被係止部）に係止させて載置手段１を固定させる係止位置と、図８（ｂ）に示すように、当該係止部１４ａのボス部Ｂ１又はボス部Ｂ２（被係止部）に対する係止を解除する解除位置との間で移動し得るよう構成されている。
【００３１】
レバー部１４ｂは、一端に係止部１４ａが形成された金属製板状部材の他端をプレスにて折り曲げ形成して得られた部位から成り、操作者が把持し、図８（ａ）中矢印方向（左方向）に引っ張り操作可能なものである。そして、かかるレバー部１４ｂに対する引っ張り操作によって、操作手段１４（係止部１４ａが形成された金属製板状部材）は、図８（ａ）で示す係止位置から図８（ｂ）で示す解除位置に移動可能とされている。すなわち、レバー部１４ｂを引っ張り操作することにより、係止部１４ａ及びレバー部１４ｂが形成された金属製板状部材は、筐体Ｋに対して移動し、係止位置から解除位置に至るよう構成されているのである。
【００３２】
筐体Ｋには、下方に突出した突出部１４ｄが固定されており、この突出部１４ｄとレバー部１４ｂとの間には、コイルスプリング１４ｃ（付勢手段）が取り付けられている。すなわち、コイルスプリング１４ｃは、その一端が突出部１４ｄに取り付けられるとともに、他端がレバー部１４ｂに取り付けられており、操作手段１４（係止部１４ａが形成された金属製板状部材）を解除位置（図８（ｂ）参照）から係止位置（図８（ａ）参照）に付勢し得るようになっている。これにより、レバー部１４ｂに対する引っ張り操作によって、操作手段１４（係止部１４ａが形成された金属製板状部材）を係止位置から解除位置に移動させた後、操作する手を緩めれば、操作手段１４（係止部１４ａが形成された金属製板状部材）が自然と（自動的に）解除位置から係止位置に戻るようになっている。
【００３３】
ところで、柱部（Ｈ１〜Ｈ５）におけるボス部Ｂ１及びボス部Ｂ２が形成された部位には、図９〜１２に示すように、載置手段１の柱部（Ｈ１〜Ｈ５）に対する係止を解除するのを規制する規制手段Ｃ１、Ｃ２が取り付けられている。かかる規制手段Ｃ１、Ｃ２は、例えば金属製板状部材をプレスにて折り曲げ加工して得られたもので、操作手段１４の操作（レバー部１４ｂに対する引っ張り操作）を規制し得るよう構成されている。
【００３４】
具体的には、載置手段１を第２位置Ｓａで固定させるべく、操作手段１４の係止部１４ａを下側のボス部Ｂ２に係止させた状態とすると、図９に示すように、係止部１４ａは、柱部（Ｈ１〜Ｈ５）と規制手段Ｃ２との間の隙間に入り込んだ状態とされる。このとき、図１０に示すように、ハッチングで示す規制範囲Ｃ２ａにおいて係止部１４ａと規制手段Ｃ２が重なり合うこととなり、この状態でレバー部１４ｂを引っ張り操作しても、係止部１４ａの移動が規制手段Ｃ２の規制範囲Ｃ２ａによって規制されるようになっている。
【００３５】
また、載置手段１を第１位置Ｐａで固定させるべく、操作手段１４の係止部１４ａを上側のボス部Ｂ１に係止させた状態とすると、図１１に示すように、係止部１４ａは、柱部（Ｈ１〜Ｈ５）と規制手段Ｃ１との間の隙間に入り込んだ状態とされる。このとき、図１２に示すように、ハッチングで示す規制範囲Ｃ１ａ、Ｃ１ｂにおいて係止部１４ａと規制手段Ｃ１が重なり合うこととなり、この状態でレバー部１４ｂを引っ張り操作しても、係止部１４ａの移動が規制手段Ｃ１の規制範囲Ｃ１ａ、Ｃ１ｂによって規制されるようになっている。
【００３６】
しかして、載置手段１が第２位置Ｓａに位置するときは、操作手段１４のレバー部１４ｂを操作しない状態で単に上方に移動させることにより、載置手段１を第１位置Ｐａまで移動させることができる。また、載置手段１が第１位置Ｐａに位置するときは、載置手段１（枠体２）を一旦持ち上げ、係止部１４ａを規制手段Ｃ１の規制範囲Ｃ１ａ、Ｃ１ｂより上方の位置とした後、レバー部１４ｂを引っ張り操作すれば、ボス部Ｂ１との係止が解かれるので、載置手段１を第２位置Ｓａまで移動させることができる。
【００３７】
さらに、本実施形態に係る規制手段Ｃ１には、干渉防止部Ｃ１ｃが一体形成されている。かかる干渉防止部Ｃ１ｃは、規制手段Ｃ１の一部をプレス等にて成形して得られたテーパ状の部位（下方から上方に向かって上り勾配の部位）から成り、載置手段１が上方（上側のボス部Ｂ１）に向かって移動する際、操作手段１４の係止部１４ａと当接して当該係止部１４ａを解除位置（図９、１１中左側）に向かって移動させ得るものである。
【００３８】
具体的には、載置手段１を上方に向かって移動する過程において、係止部１４ａが干渉防止部Ｃ１ｃに至り、解除位置に向かう方向に押圧されるとともに、その状態から更に載置手段１を上方に移動させると、干渉防止部Ｃ１ｃのテーパ面の傾斜角度に応じて係止部１４ａも更に解除位置に向かって移動する。そして、係止部１４ａがボス部Ｂ１の突端よりも解除位置側（図１１中左側）に位置すると、干渉防止部Ｃ１ｃの終端に至るとともに、係止部１４ａがボス部Ｂ１より上方に位置するようになっている。これにより、操作手段１４が上方に移動する際、係止部１４ａにおける切欠き１４ａａ、１４ａｂが形成されない側にボス部Ｂ１が干渉してしまうのを防止することができるとともに、係止部１４ａの切欠き１４ａａ、１４ａｂにてボス部Ｂ１に係止させることができる。
【００３９】
ここで、本実施形態に係る操作手段１４は、下部取付部材２ｂの外周面（下面）に取り付けられ、ボス部Ｂ１、Ｂ２（被係止部）に対する係止及び係止の解除が可能なものとされている。すなわち、筐体Ｋが下部取付部材２ｂの下面における左右端部にそれぞれネジやボルト等にて固定されることで、下部取付部材２ｂの下部に操作手段１４を取り付け可能とされているのである。
【００４０】
本実施形態においては、下部取付部材２ｂの上面（外周面）に側板部用取付部２ｂａが形成されているので、島設備を組み立てる際、下部取付部材２ｂを隣接する柱部（Ｈ１〜Ｈ５）の間に位置決めさせた状態で、側板部２ａを柱部（Ｈ１〜Ｈ５）の案内部Ｈ２ａ（図６参照）内に嵌合させつつ当該下部取付部材２ｂの側板部用取付部２ｂａに取り付け可能とされている。
【００４１】
具体的には、島設備を組み立てる際、先ず柱部Ｈ１と柱部Ｈ２とを固設して、その柱部Ｈ１と柱部Ｈ２との間に下部取付部材２ｂを位置決めさせた状態とするとともに、左右の側板部２ａをそれぞれ柱部の案内部内に嵌合させつつ位置決めした下部取付部材２ｂの上面（側板部用取付部２ｂａ）に取り付ける。その後、柱部Ｈ２に隣接した位置に柱部Ｈ３を固設して、当該柱部Ｈ２と柱部Ｈ３の間に下部取付部材２ｂを位置決めさせた状態とするとともに、左右の側板部２ａをそれぞれ柱部の案内部内に嵌合させつつ位置決めした下部取付部材２ｂの上面（側板部用取付部２ｂａ）に取り付ける。このように、柱部Ｈ１〜Ｈ５を順次固設させる過程で、隣接する柱部間に載置手段を順次取り付け得るようになっているのである。
【００４２】
特に、本実施形態においては、下部取付部材２ｂの下面（外周面）に操作手段１４が取り付けられるので、島設備を組み立てる際、操作手段１４をボス部Ｂ１、Ｂ２（被係止部）に取り付け、その後、当該操作手段１４の筐体Ｋを下部取付部材２ｂの下面に組み付けることで当該下部取付部材２ｂを位置決めし、更にその下部取付部材２ｂの上面に側板部２ａを組み付ける（この場合も、側板部２ａを柱部（Ｈ１〜Ｈ５）の案内部Ｈ２ａ（図６参照）内に嵌合させつつ当該下部取付部材２ｂの側板部用取付部２ｂａに取り付ける）ことが可能とされている。
【００４３】
さらに、本実施形態においては、図１４に示すように、載置手段１が所定高さに固定された状態で柱部（Ｈ１〜Ｈ５）との間の隙間（枠体２を構成する側板部２ａと柱部（Ｈ１〜Ｈ５）との間の隙間）により生じるガタを防止するガタ防止手段１５を具備している。すなわち、枠体２を構成する側板部２ａは、既述の如く、その幅寸法が柱部（Ｈ１〜Ｈ５）における案内部Ｈ２ａの幅寸法より小さく設定された幅狭部２ａａを有しており、当該側板部２ａと案内部Ｈ２ａとの間の隙間にガタ防止手段１５が位置しているのである。
【００４４】
より具体的には、本実施形態に係るガタ防止手段１５は、枠体２の側板部２ａに形成されたもので、図１３に示すように、側板部２ａの所定部位（幅狭部２ａａ）に取り付けられる揺動軸１５ｂを中心として揺動可能なアーム部１５ａと、アーム部１５ａに形成されるとともに、操作者が把持し得る把持部１５ａａと、アーム部１５ａに形成された突出部１６と、突出部１６の突端側に形成されたテーパ面から成る楔状部位１６ａとから主に構成されている。
【００４５】
アーム部１５ａ、把持部１５ａａ及び突出部１６は、所定の樹脂材を成形して成る樹脂成形部品から成るものとされている。しかして、突出部１６は、側板部２ａから案内部Ｈ２ａに向かって突出形成されており、その突端側の一部である楔状部位１６ａを枠体２の側板部２ａと柱部（Ｈ１〜Ｈ５）の案内部Ｈ２ａとの間に挿入させることによりガタを防止するよう構成されている。
【００４６】
本実施形態に係るガタ防止手段１５によれば、突出部１６の突端側に形成された楔状部位１６ａを枠体２の側板部２ａと柱部（Ｈ１〜Ｈ５）の案内部Ｈ２ａとの間に挿入させるので、楔効果によって枠体２を柱部（Ｈ１〜Ｈ５）に強固且つ確実に固定させることができ、載置手段１を任意高さで固定させた状態において枠体２に生じるガタをより確実に防止することができる。
【００４７】
特に、本実施形態に係るガタ防止手段１５は、所定の弾性部材（本実施形態においては硬質の樹脂材）を成形して成る（樹脂成形部品から成る）から成るので、楔状部位１６ａを枠体２の側板部２ａと柱部（Ｈ１〜Ｈ５）の案内部Ｈ２ａとの間に挿入させることにより、楔効果に加えて、弾力による復元力（反発力）を付与させることができ、より一層確実に載置手段１を任意高さで固定させた状態において枠体２に生じるガタを防止することができる。なお、所定の樹脂材に代えて、他の弾性部材から成るものとしてもよく、或いは弾性部材に代えて、他の材料から成る部材（所定の金属製部品等）であってもよい。なお、金属製部品から成るものとすれば、弾力による効果について乏しいものの、楔効果をより確実に発揮させることができる。
【００４８】
なお、本実施形態に係る突出部１６は、側板部２ａの所定部位に取り付けられる揺動軸１５ｂを中心として揺動可能なアーム部１５ａに形成されるとともに、図１５に示すように、操作者が把持部１５ａａを把持しつつ当該アーム部１５ａを揺動操作することにより、突出部１６（楔状部位１６ａ）が案内部Ｈ２ａと当接する当接位置（図中２点鎖線で示した位置）と、当該突出部１６（楔状部位１６ａ）が案内部Ｈ２ａから離間した離間位置（図中実線で示した位置）との間で移動可能とされている。
【００４９】
すなわち、載置手段１を柱部（Ｈ１〜Ｈ５）に沿って上下に移動させる際には、突出部１６（楔状部位１６ａ）を離間位置として枠体２の円滑な移動を行わせるとともに、載置手段１を所定位置にて固定させた際（操作手段１４の係止部１４ａをボス部Ｂ１又はボス部Ｂ２に係止させた際）には、アーム部１５ａを揺動操作して突出部１６（楔状部位１６ａ）を当接位置とすることにより、枠体２に生じるガタを防止するのである。なお、突出部１６が当接位置に至る過程において、弾力により撓み得るので、アーム部１５ａの揺動操作をより円滑かつ容易に行わせることができる。
【００５０】
さらに、本実施形態に係る島設備は、載置手段１の移動許容範囲を超えて上方へ移動するのを規制（すなわち、載置手段１が第１位置Ｐａから更に上方に移動してしまうのを規制）するストッパ１７を具備している。かかるストッパ１７は、図６、１６、１７に示すように、柱部Ｈ２に突出形成され、載置手段１が第１位置Ｐａから更に上方に移動（移動許容範囲を超えて上方へ移動）しようとした際、側板部２ａの所定位置（本実施形態においては段部２ａｃ）に干渉することで当該載置手段１の更なる上方への移動を規制するものとされている。
【００５１】
また、既述したように、本実施形態に係る載置手段１を構成する側板部２ａは、柱部Ｈ２に対して幅寸法が異なる幅狭部２ａａと幅広部２ａｂとを有し、その幅狭部２ａａと幅広部２ａｂとの間の境界に形成された段部２ａｃがストッパ１７と干渉し得るよう構成されている。このストッパ１７は、例えば略円筒状に成形された樹脂製部材から成るものとされており、ボルト等の汎用的な締結手段にて柱部Ｈ２の所定部位（図１６、１７参照）に固定されている。
【００５２】
以上のように、本実施形態に係る載置台３は、パチンコ遊技機Ｐを載置させる際は、下部取付部材２ｂに対して前後方向第１位置Ｐｂに固定されるとともに、柱部（Ｈ１〜Ｈ５）に対して上側の位置である第１位置Ｐａに固定され、かつ、スロットマシンＳを載置させる際は、下部取付部材２ｂに対して前後方向第２位置Ｓｂに固定されるとともに、柱部（Ｈ１〜Ｈ５）に対して下側の位置である第２位置Ｓａに固定されるのである。そして、前後方向第１位置Ｐｂの方が前後方向第２位置Ｓｂより前方の位置（遊技者側に突出した位置）に設定されているとともに、第１位置Ｐａの方が第２位置Ｓａより高い位置に設定されている。
【００５３】
また、本実施形態に係る載置手段１は、図１に示すように、１つの載置台３に複数のパチンコ遊技機Ｐ又は複数のスロットマシンＳ（本実施形態においては、２台のパチンコ遊技機Ｐ又は２台のスロットマシンＳ）を載置させるように設定されている。すなわち、載置台３を遊技機が複数台設置できる幅寸法とすることで、１つの載置台３に同種の遊技機（パチンコ遊技機Ｐ又はスロットマシンＳ）を複数設置することができ、島設備に必要とされる柱部の数を低減させることができるのである。なお、本実施形態においては、１つの載置台３に対して同種の遊技機が２台設置されているが、３台以上の同種の遊技機を設置するようにしてもよい。
【００５４】
しかるに、本実施形態に係る島設備においては、同種の遊技機を複数台設置可能な載置手段１に加え、図２０に示すように、遊技機を１台載置可能な載置手段１’（一対の側板部２’ａと、下部取付部材２’ｂと、ステー２’ｃとを有する載置手段１’）が取り付けられている。かかる載置手段１’は、載置台３’の幅寸法が遊技機１台分に設定された点においては幅寸法が遊技機２台分に設定された載置手段１と相違するものの、その他においては、上記した載置手段１と同様の構成及び機能を有するものである。
【００５５】
一方、本実施形態に係る載置台３は、図１９、３０に示すように、パチンコ遊技機Ｐを載置可能な第１載置面βと、該第１載置面βの前方側（遊技者側）に形成されて遊技球を収容した収容箱（所謂ドル箱）を載置可能な膳板面αとを有して構成されている。すなわち、載置台３には、遊技者から見た手前側に膳板面α及び奥側に第１載置面βが形成されているので、遊技者は、膳板面αに遊技球を収容した収容箱を載置しつつ第１載置面βに載置されたパチンコ遊技機Ｐに対する遊技が可能とされているのである。なお、第１載置面βは、膳板面αより所定寸法高い位置に形成されている。
【００５６】
さらに、本実施形態においては、図２９、３０に示すように、膳板面α上に脱着自在とされ、当該膳板面α上に取り付けられた状態で第１載置面βと略面一とされる第２載置面γを有した板状部材から成る取付部材２０を具備している。そして、載置台３にスロットマシンＳを載置する場合は、膳板面α上に取付部材２０を取り付け、第１載置面β及び第２載置面γ（第１載置面βから第２載置面γに亘る面）にスロットマシンＳを載置させるようになっている。なお、載置台３にスロットマシンＳを載置させる場合、載置手段１が第２位置Ｓａとされ、当該載置手段１の上部にメダルを収容する収容箱を載置可能な収容棚Ｊ（図１、２参照）が取り付けられるよう構成されている。
【００５７】
ここで、本実施形態に係る島設備においては、載置台３に取り付けられて当該載置台３の少なくとも側部（膳板面α側の側面）を覆って保護する保護部材（パチンコ遊技機用保護部材１８及びスロットマシン用保護部材１９）を具備している。すなわち、保護部材は、載置台３に載置される遊技機（パチンコ遊技機Ｐ又はスロットマシンＳ）に応じて（載置手段１の前後方向の位置に応じて）選択的に当該載置台３に取り付けられるもので、載置台３の側部を覆って保護するとともに意匠性を向上させるためのものである。
【００５８】
パチンコ遊技機用保護部材１８は、載置台３にパチンコ遊技機Ｐを載置する場合に当該載置台３の角部を含む側部に取り付けられるもので、図３１に示すように、載置台３の角部を含む側部に取り付けるための開口１８ａが形成された金属製部品又は樹脂製部品から成る。かかるパチンコ遊技機用保護部材１８は、長手寸法Ｔ１に設定されており、図３０に示すように、前後方向第１位置Ｐｂにある載置台３に取り付けられた状態で基端部（取付状態で第１載置面β側に位置する端部）が島設備の柱部（Ｈ１〜Ｈ５）と近接又は当接した状態とされるよう構成されている。
【００５９】
スロットマシン用保護部材１９は、載置台３にスロットマシンＳを載置する場合に当該載置台３の角部を含む側部に取り付けられるもので、図３２に示すように、載置台３の角部を含む側部に取り付けるための開口１９ｂが形成された金属製部品又は樹脂製部品から成る。かかるスロットマシン用保護部材１９は、長手寸法Ｔ２（寸法Ｔ１より小さい寸法）に設定されており、図３０に示すように、前後方向第２位置Ｓｂにある載置台３に取り付けられた状態で基端部（取付状態で第１載置面β側に位置する端部）が島設備の柱部（Ｈ１〜Ｈ５）と近接又は当接した状態とされるよう構成されている。
【００６０】
さらに、スロットマシン用保護部材１９は、図３０に示すように、載置台３に取り付けられた状態で、膳板面α上に取り付けられた取付部材２０の角部と対峙する切欠き部１９ａが形成されている。すなわち、載置台３にスロットマシンＳを取り付けるべく取付部材２０を膳板面α上に取り付けた状態において、スロットマシン用保護部材１９を載置台３の側部に取り付けると、そのスロットマシン用保護部材１９に形成された切欠き部１９ａが取付部材２０の角部に対して対峙（対向）した状態となり、取付部材２０が膳板面α上で不用意に移動してしまうのを防止できるのである。
【００６１】
また、パチンコ遊技機用保護部材１８又はスロットマシン用保護部材１９は、材質が限定されるものではないが、少なくとも何れか一方は、載置台３の側部を覆う樹脂材（樹脂製部品）から成るのが好ましい。パチンコ遊技機用保護部材１８又はスロットマシン用保護部材１９の少なくとも何れか一方を樹脂材とすれば、載置台３に取り付けられた保護部材（パチンコ遊技機用保護部材１８又はスロットマシン用保護部材１９）に種々部材や人が干渉しても、衝撃を吸収させることができる。
【００６２】
遊技球回収手段４は、パチンコ遊技機Ｐから排出された遊技球を回収するためのもので、図１に示すように、島設備の長手方向に沿って延設された搬送コンベアにて構成されている。かかる遊技球回収手段４は、図３６〜３８に示すように、駆動源としてのモータＭ１と、該モータＭ１の駆動力により回動する搬送体ｃ１と、該搬送体ｃ１を懸架する駆動プーリＰ１及び従動プーリＰ２（図１参照）とを有して構成されている。
【００６３】
搬送体ｃ１は、樹脂部品を長手方向に複数組み合わせた無端状部材から成るもので、図３８（ａ）に示すように、その搬送面には、搬送部ｅと、凸部ｄと、孔部ｇとが形成されている。そして、パチンコ遊技機Ｐから排出されて搬送体ｃ１に至った遊技球ｙは、同図に示すように、その下部が孔部ｇに嵌りつつ当該搬送体ｃ１の回動方向に搬送されることとなる。また、搬送体ｃ１の搬送部（図中上部の往動側）の下面には、同図に示すように、板材ｆが延設されており、当該板材ｆの上面において搬送体ｃ１の搬送部が摺動し得るよう構成されている。
【００６４】
メダル回収手段５は、スロットマシンＳから排出されたメダルを回収するためのもので、図１に示すように、島設備の長手方向に沿って延設された搬送コンベアにて構成されている。かかるメダル回収手段５は、図３６〜３８に示すように、駆動源としてのモータＭ２と、該モータＭ２の駆動力により回動する搬送体ｃ２と、該搬送体ｃ２を懸架する駆動プーリＰ３及び従動プーリＰ４（図１参照）とを有して構成されている。
【００６５】
搬送体ｃ２は、搬送体ｃ１と同様、樹脂部品を長手方向に複数組み合わせた無端状部材から成るもので、図３８（ｂ）に示すように、その搬送面には、搬送部ｅと、凸部ｄと、孔部ｇとが形成されている。そして、スロットマシンＳから排出されて搬送体ｃ２に至ったメダルｑは、同図に示すように、凸部ｄに引っ掛かりつつ当該搬送体ｃ２の回動方向に搬送されることとなる。また、搬送体ｃ２の搬送部（図中上部の往動側）の下面には、同図に示すように、板材ｆが延設されており、当該板材ｆの上面において搬送体ｃ２の搬送部が摺動し得るよう構成されている。
【００６６】
ここで、本実施形態においては、図３５に示すように、遊技球回収手段４を構成する搬送コンベアは、島設備のフレームＦａ上に配設されるとともに、メダル回収手段５を構成する搬送コンベアは、フレームＦａより下方に位置する島設備のフレームＦｂ上に配設されている。すなわち、本実施形態においては、島設備内において、遊技球回収手段４とメダル回収手段５とが上下に並設されるとともに、遊技球回収手段４の方がメダル回収手段５より上側に位置しているのである。
【００６７】
また、本実施形態に係る遊技球回収手段４及びメダル回収手段５は、それぞれ独立した駆動源としてのモータＭ１、Ｍ２を具備するとともに、それぞれが任意速度で駆動され得るよう構成されている。これにより、遊技球回収手段４の搬送体ｃ１の回動速度（搬送速度）とメダル回収手段５の搬送体ｃ２の回動速度（搬送速度）とを異ならせることができ、例えば遊技球回収手段４の搬送体ｃ１の回動速度をメダル回収手段５の搬送体ｃ２の回動速度より遅く設定することにより、遊技球を確実かつ安定して搬送させることができる。なお、図３７中符号Ｍ１ａ、Ｍ２ａは、モータＭ１、Ｍ２の出力軸を示しており、当該出力軸Ｍ１ａと駆動プーリＰ１、及び出力軸Ｍ２ａと駆動プーリＰ３とが連結され、モータＭ１、Ｍ２の駆動力が搬送体ｃ１、ｃ２にそれぞれ伝達され得るようになっている。
【００６８】
さらに、本実施形態に係る遊技球回収手段４及びメダル回収手段５は、図３５に示すように、島設備の幅方向Ｗに対して中央で延設されている。すなわち、遊技球回収手段４及びメダル回収手段５は、島設備の一方の面に設置された遊技機（例えば、同図に示すように、左側の面に設置されたパチンコ遊技機Ｐ）との間の離間寸法と、他方の面に設置された遊技機（例えば、同図に示すように、右側の面に設置されたスロットマシンＳ）との間の離間寸法とが略同一とされつつ島設備の長手方向に延設されているのである。
【００６９】
遊技球回収手段４の上部には、図３３、３５に示すように、パチンコ遊技機Ｐから排出された遊技球を遊技球回収手段４まで案内する遊技球案内手段６が配設されている。かかる遊技球案内手段６は、遊技球回収手段４の上部における左右に配設された受け部材から成り、パチンコ遊技機Ｐから排出された遊技球を受けて遊技球回収手段４まで案内し得る受け面が形成されるとともに、それぞれの遊技球案内手段６は、支持フレーム７にて揺動可能に支持されている。具体的には、遊技球案内手段６は、支持フレーム７に形成された揺動軸Ｌを中心に揺動可能とされ、遊技球を受け得る受け位置（図３３の左側の状態）と、上方に跳ね上げられた状態の退避位置（同図の右側の状態）との間を移動可能とされている。
【００７０】
すなわち、本実施形態に係る遊技球案内手段６は、載置手段１にパチンコ遊技機Ｐを載置した際、受け位置とされて、パチンコ遊技機Ｐから排出された遊技球を受け面にて受けつつ遊技球回収手段４まで案内し得るとともに、載置手段１にスロットマシンＳを載置した際、支持フレーム７に形成された揺動軸Ｌを中心に揺動して跳ね上げられることで、スロットマシンＳからメダル回収手段５までの間のメダルの排出経路（本実施形態においては、後述するメダル案内手段８が取り付けられる部位）から外れた退避位置（跳ね上げた状態）まで移動可能とされているのである。
【００７１】
また、遊技球案内手段６は、図２８に示すように、載置手段１（載置台３）の幅と対応した幅寸法に設定されており、島設備の長手方向に亘って複数形成されている。しかして、パチンコ遊技機Ｐが載置された載置手段１に対応する遊技球案内手段６は、遊技球を受け得る受け位置とされ、スロットマシンＳが載置された載置手段１に対応する遊技球案内手段６は、上方に跳ね上げられた状態（退避位置）とされる。なお、遊技球案内手段６は、遊技球を受け得る受け位置のとき、遊技球回収手段４に向かって所定角度傾斜した状態とされている。これにより、パチンコ遊技機Ｐから排出されて落下した遊技球は、遊技球案内手段６にて受けられ、そこから自重により転がって遊技球回収手段４に至るようになっている。
【００７２】
一方、載置手段１に取り付けられた載置台３は、図１８、２８に示すように、遊技機を載置する部位の近傍に切欠きｋが形成されており、その載置台３に載置されたスロットマシンＳから排出されたメダルをメダル回収手段５まで案内するメダル案内手段８が当該切欠きｋに取付可能とされている。かかるメダル案内手段８は、図３４に示すように、上部に形成された開口部８ａにてメダルを受け得るとともに、そのメダルを下部に形成された開口部８ｂから排出させ得るものである。
【００７３】
このメダル案内手段８は、遊技球案内手段６が跳ね上げられて退避位置とされた状態で、スロットマシンＳが載置された載置手段１の切欠きｋに対して任意選択的に取り付けられるものとされ、当該切欠きｋに取り付けられた状態において、上部の開口部８ａが上方を臨むようになっており、スロットマシンＳから排出されて落下するメダルを受け得るとともに、下方の開口部８ｂがメダル回収手段５に臨むようになっており、上方の開口部８ａで受けたメダルをメダル回収手段５まで案内し得るよう構成されている。
【００７４】
なお、スロットマシンＳが載置された載置手段１にパチンコ遊技機Ｐを載置させる場合、メダル案内手段８を切欠きｋから取り外すとともに、遊技球案内手段６を退避位置から受け位置に揺動させる。また、パチンコ遊技機Ｐが載置された載置手段１にスロットマシンＳを載置させる場合、遊技球案内手段６を受け位置から退避位置に揺動させるとともに、メダル案内手段８を切欠きｋに取り付けるものとされている。
【００７５】
本実施形態に係る島設備の一方の端部（遊技球及びメダルが搬送される側）には、図１に示すように、遊技球揚送手段９及びメダル揚送手段１０がそれぞれ配設されており、遊技球回収手段４で搬送された遊技球を遊技球揚送手段９にて上方に揚送するとともに、メダル回収手段５で搬送されたメダルをメダル揚送手段１０にて上方に揚送し得るよう構成されている。そして、これら遊技球揚送手段９及びメダル揚送手段１０にて揚送された遊技球及びメダルは、それぞれ遊技球補給手段１１及びメダル補給手段１２に至るようになっている。
【００７６】
遊技球補給手段１１及びメダル補給手段１２は、島設備の上部において当該島設備の長手方向に沿って延設されたもので、図３９、４０に示すように、左右に並設された搬送コンベアから成る。すなわち、図４０に示すように、搬送コンベアを構成する本体ｆ１の略中央に仕切り部材ｆ２を取り付けるとともに、当該仕切り部材ｆ２で隔成された同図右側の部位を遊技球を搬送するための遊技球補給手段１１とし、同図左側の部位をメダルを搬送するためのメダル補給手段１２としているのである。
【００７７】
遊技球補給手段１１は、パチンコ遊技機Ｐに遊技球を補給するためのもので、図１に示すように、モータＭ３の出力軸と連結された駆動プーリＰ５と従動プーリＰ６との間に懸架されつつ回動可能な無端状の搬送ベルト１１ａを有して構成されている。また、本体ｆ１の側面（図３９、４０中右側の側面）には、当該図３９、４０に示すように、延設部ｆ３が形成されており、当該延設部ｆ３の縁部には側壁が立設されており、その側壁には、図３９に示すように、複数の開口部ｔ１が形成されている。
【００７８】
かかる開口部ｔ１は、遊技機（パチンコ遊技機Ｐ及びスロットマシンＳ）が設置される部位に対応した位置にそれぞれ形成されており、パチンコ遊技機Ｐが設置される部位に対応した開口部ｔ１には、パチンコ遊技機Ｐに遊技球を案内する第１案内手段Ａ１が取り付け可能とされている。この第１案内手段Ａ１は、図４１に示すように、パチンコ遊技機Ｐまで延設された案内部材Ｄ１（例えば蛇腹状部材）が取り付けられており、延設部ｆ３を転がった遊技球を受け得るとともに、その遊技球を案内部材Ｄ１を介してパチンコ遊技機Ｐまで案内し得るよう構成されている。
【００７９】
メダル補給手段１２は、スロットマシンＳにメダルを補給するためのもので、図１に示すように、モータＭ３の出力軸と連結された駆動プーリＰ５と従動プーリＰ６との間に懸架されつつ回動可能な無端状の搬送ベルト１２ａを有して構成されている。すなわち、遊技球補給手段１１及びメダル補給手段１２は、駆動源としてのモータＭ３を共用しつつそれぞれ独立した搬送ベルト１１ａ、１２ａを有しているのである。なお、遊技球補給手段１１及びメダル補給手段１２のそれぞれにモータ等の駆動源を配設し、搬送ベルト１１ａ、１２ａをそれぞれ回動させるようにしてもよい。
【００８０】
また、本体ｆ１の側面（図３９、４０中左側の側面）には側壁が立設されており、その側壁には、図３９に示すように、複数の開口部ｔ２が形成されている。かかる開口部ｔ２は、遊技機（パチンコ遊技機Ｐ及びスロットマシンＳ）が設置される部位に対応した位置にそれぞれ形成されており、パチンコ遊技機Ｐが設置される部位に対応した開口部ｔ２には、蓋部Ｉが取り付けられるとともに、スロットマシンＳが設置される部位に対応した開口部ｔ２には、スロットマシンＳにメダルを案内する第２案内手段Ａ２が取り付け可能とされている。
【００８１】
この第２案内手段Ａ２は、図４２に示すように、スロットマシンＳまで延設された案内部材Ｄ２（例えば蛇腹状部材）が取り付けられており、振り分け手段Ｅにて振り分けられたメダルを受け得るとともに、そのメダルを案内部材Ｄ２を介してスロットマシンＳまで案内し得るよう構成されている。かかる振り分け手段Ｅは、振り分け板材Ｅａと、通電により作動して振り分け板材Ｅａを上下動させるソレノイドＥｂとを有しており、当該振り分け板材ＥａがソレノイドＥｂの作動により下降（図４２における２点鎖線で示す状態から実線で示す状態に移動）すると、搬送ベルト１２ａに近接し、当該搬送ベルト１２ａにて搬送されるメダルが第２案内手段Ａ２側に至るようになっている。しかして、所望の振り分け手段ＥにおけるソレノイドＥｂを選択的に通電することにより、搬送ベルト１２ａにて搬送される過程のメダルを第２案内手段Ａ２によりスロットマシンＳまで案内して補給することが可能とされている。
【００８２】
上記したように、本実施形態に係る島設備においては、遊技球補給手段１１からパチンコ遊技機Ｐに遊技球を案内する第１案内手段Ａ１と、メダル補給手段１２からスロットマシンＳにメダルを案内する第２案内手段Ａ２とを有するとともに、設置される遊技機（パチンコ遊技機Ｐ又はスロットマシンＳ）に応じて第１案内手段Ａ１及び第２案内手段Ａ２が遊技球補給手段１１又はメダル補給手段１２の任意位置に設置可能とされている。
【００８３】
しかるに、遊技球補給手段１１にてパチンコ遊技機Ｐに補給された遊技球は、当該パチンコ遊技機Ｐにて遊技媒体として使用された後、遊技球回収手段４にて再び回収されることとなり、島設備内において循環することとなる。また、メダル補給手段１２にてスロットマシンＳに補給されたメダルは、当該スロットマシンＳにて遊技媒体として使用された後、メダル回収手段５にて再び回収されることとなり、島設備内において循環することとなる。
【００８４】
上記実施形態に係る島設備によれば、下部取付部材２ｂを隣接する柱部の間に位置決めさせた状態で、側板部２ａを柱部の案内部内に嵌合させつつ当該下部取付部材２ｂの外周面に形成された側板部用取付部２ｂａに取り付けるので、解体することなくパチンコ遊技機及びスロットマシンのどちらも設置とすることができるとともに、一対の柱部を固設して載置手段１を取り付けた後、それと隣接する柱部の固設及び載置手段１の取り付けを順次行わせることができるので、フレーム部Ｆに対する載置手段１の取り付け作業を良好に行わせることができる。
【００８５】
また、上記実施形態によれば、操作手段１４をボス部Ｂ１、Ｂ２（被係止部）に取り付け、その後、下部取付部材２ｂ、側板部２ａを順に組み付けるので、操作手段１４及びボス部Ｂ１、Ｂ２（被係止部）を利用して、隣接する柱部の間に下部取付部材２ｂを確実に位置決めさせることができ、フレーム部Ｆに対する載置手段１の取り付け作業をより良好に行わせることができる。
【００８６】
さらに、上記実施形態によれば、側板部２ａは、載置台３に設置すべき遊技機（パチンコ遊技機Ｐ又はスロットマシンＳ）に応じて、遊技機（パチンコ遊技機Ｐ）の上面と対峙する上部板材Ｎ又は遊技媒体（スロットマシンＳで使用されるメダル）を収容する容器を保持可能な収容棚Ｊを任意取り付け可能とされたので、解体することなくパチンコ遊技機及びスロットマシンのどちらも設置とすることができるとともに、例えば島設備のフレーム部Ｆ側に上部板材又は収容棚を配設するものに比べ、載置台３に設置する遊技機に応じて上部板材Ｎ又は収容棚Ｊを容易且つ確実に配設することができる。
【００８７】
またさらに、側板部２ａの上端部には、載置台３に設置すべき遊技機に応じて上部板材Ｎ（パチンコ遊技機Ｐを設置する場合）又は収容棚Ｊ（スロットマシンＳを設置する場合）を取り付け可能なステー２ｃが形成されたので、上部板材Ｎ又は収容棚Ｊを所定の位置に確実且つ強固に取り付けることができる。また、本実施形態に係るステー２ｃは、左右の側板部２ａにそれぞれ突出形成されて成るので、上部板材Ｎ又は収容棚Ｊをより容易且つ強固に取り付けることができる。
【００８８】
なお、保護部材が、パチンコ遊技機用保護部材１８とスロットマシン用保護部材１９とを有し、載置台３に設置されるべき遊技機に応じて当該パチンコ遊技機用保護部材１８及びスロットマシン用保護部材１９を選択的に取り付け可能とされたので、解体することなくパチンコ遊技機Ｐ及びスロットマシンＳのどちらも設置とすることができるとともに、載置台３にパチンコ遊技機Ｐ又はスロットマシンＳの何れを載置台３に載置しても、その載置台３の側部を十分に覆って保護することができる。
【００８９】
また、本実施形態によれば、床面ｆに固設されるとともに、上下に延びる柱部（Ｈ１〜Ｈ５）が形成されたフレーム部Ｆを具備し、載置手段１は、柱部（Ｈ１〜Ｈ５）に沿って上下方向に移動可能とされるものとされ、且つ、パチンコ遊技機用保護部材１８及びスロットマシン用保護部材１９は、載置台３に取り付けられた状態で基端部が柱部（Ｈ１〜Ｈ５）と近接又は当接した状態とされるので、載置される遊技機に応じて載置台３が前後方向に移動したとしても、保護部材（パチンコ遊技機用保護部材１８及びスロットマシン用保護部材１９）と柱部（Ｈ１〜Ｈ５）との間に隙間が生じてしまうのを抑制することができる。
【００９０】
さらに、本実施形態に係る載置台３は、パチンコ遊技機Ｐを載置可能な第１載置面βと、該第１載置面βの前方側に形成されて遊技球を収容した収容箱を載置可能な膳板面αとを有して構成され、且つ、膳板面α上に脱着自在とされ、当該膳板面α上に取り付けられた状態で第１載置面βと略面一とされる第２載置面γを有した取付部材２０を具備し、当該第１載置面β及び第２載置面γにスロットマシンＳが載置可能とされるとともに、スロットマシン用保護部材１９は、膳板面α上に取り付けられた取付部材２０の角部と対峙する切欠き部１９ａが形成されたので、スロットマシン用保護部材１９が、載置台３の側面を保護する機能と、取付部材２０のずれ防止機能とを兼ね備えることができる。
【００９１】
なお、本実施形態によれば、床面ｆに固設されるとともに、上下に延びる柱部（Ｈ１〜Ｈ５）が形成されたフレーム部Ｆと、遊技機（パチンコ遊技機Ｐ又はスロットマシンＳ）を載置可能とされるとともに、載置された遊技機に応じて柱部（Ｈ１〜Ｈ５）に沿って上下方向に移動可能な載置台３が取り付けられた載置手段１と、載置手段１の移動許容範囲を超えて上方へ移動するのを規制するストッパ１７とを具備したので、解体することなくパチンコ遊技機Ｐ及びスロットマシンＳのどちらも設置とすることができるとともに、載置手段１の移動許容範囲を超えた上方への移動を規制して当該上方に配設された種々部品（例えば、図２に示すように、各遊技機に対して上方に配設された上部ランプＲの配線ｐ等）の破損を防止することができる。
【００９２】
また、本実施形態によれば、載置手段１の両側に形成された側板部２ａを具備するとともに、ストッパ１７は、柱部（Ｈ１〜Ｈ５）に突出形成され、当該側板部２ａの所定位置（段部２ａｃ）に干渉することで当該載置手段１の上方への移動を規制するので、載置手段１の移動許容範囲を超えた上方への移動をより確実に規制することができる。なお、本実施形態においては、側板部２ａに段部２ａｃを形成し、その段部２ａｃにストッパ１７を干渉させているが、例えば側板部２ａに長孔等を形成しておき、当該長孔内でストッパ１７を突出形成させるものとすることで、載置手段１の上方への移動を規制（この場合、下方への移動も規制できる）するようにしてもよい。
【００９３】
さらに、本実施形態に係る側板部２ａは、柱部（Ｈ１〜Ｈ５）に対して幅寸法が異なる幅狭部２ａａと幅広部２ａｂとを有し、その幅狭部２ａａと幅広部２ａｂとの間の境界に形成された段部２ａｃがストッパ１７と干渉し得るので、側板部２ａのストッパ１７との干渉をより確実に行わせることができ、載置手段１の移動許容範囲を超えた上方への移動をより確実に規制することができる。特に、本実施形態によれば、幅狭部２ａａの一方の側縁にガタ防止手段１５が配設されるとともに、当該幅狭部２ａａの他方の側縁と対向した位置にストッパ１７が形成されているので、ガタ防止手段１５及びストッパ１７を形成することによって柱部（Ｈ１〜Ｈ５）や側板部２ａ等の寸法が大きくなって島設備全体が大型化してしまうのを抑制することができる。
【００９４】
またさらに、本実施形態に係るストッパ１７は、樹脂製部材から成るので、載置手段１が移動許容範囲を超えて上方へ移動しようとし、側板部２ａ（段部２ａｃ）とストッパ１７とが干渉した際、衝撃を吸収することができるとともに、干渉によって傷等が付与されてしまうのを抑制することができる。なお、樹脂製部材から成るストッパ１７に代えて、他の材料から成るストッパ部材としてもよい。
【００９５】
また、本実施形態によれば、柱部（Ｈ１〜Ｈ５）に係止して載置手段１を固定させるとともに、所定の操作によって当該係止を解除して当該載置手段１を柱部（Ｈ１〜Ｈ５）に対して上下方向に移動可能とさせ得る操作手段１４を具備したので、解体することなくパチンコ遊技機Ｐ及びスロットマシンＳのどちらも設置とすることができるとともに、容易かつ円滑にパチンコ遊技機ＰとスロットマシンＳとを任意選択的に設置することができ、設置状態の切り替え時の作業性を向上することができる。
【００９６】
なお、本実施形態に係る操作手段１４は、柱部（Ｈ１〜Ｈ５）に形成されたボス部Ｂ１、Ｂ２（被係止部）と係止可能な係止部１４ａを有するとともに、当該係止部１４ａをボス部Ｂ１、Ｂ２（被係止部）に係止させて載置手段１を固定させる係止位置と、当該係止部１４ａのボス部Ｂ１、Ｂ２（被係止部）に対する係止を解除する解除位置との間で移動し得るので、載置手段１の柱部（Ｈ１〜Ｈ５）に対する係止及び係止の解除をより確実に行わせることができる。
【００９７】
さらに、本実施形態に係る操作手段１４は、操作者が引っ張り操作可能なレバー部１４ｂを有し、当該レバー部１４ｂに対する引っ張り操作によって係止位置から解除位置に移動可能とされたので、載置手段１の柱部（Ｈ１〜Ｈ５）に対する係止の解除操作をより円滑かつ容易に行わせることができる。またさらに、操作手段１４は、解除位置から係止位置に付勢するコイルスプリング１４ｃ（付勢手段）を具備したので、操作手段１４を操作する操作者の手を緩めれば自然に載置手段１を柱部（Ｈ１〜Ｈ５）に係止させることができ、載置手段１の柱部（Ｈ１〜Ｈ５）に対する係止をより円滑かつ確実に行わせることができる。
【００９８】
また、載置手段１が上方に向かって移動する際、操作手段１４の係止部１４ａと当接して当該係止部１４ａを解除位置に向かって移動させ得る干渉防止部Ｃ１ｃが形成されたので、操作手段１４に対する操作が行われない状態で載置手段１を上方に向かって移動させても、操作手段１４が上側のボス部Ｂ１（被係止部）と干渉してしまうのを防止することができる。
【００９９】
さらに、上記実施形態に係る島設備によれば、床面ｆに固設されるとともに、上下に延びる柱部（Ｈ１〜Ｈ５）が形成されたフレーム部Ｆと、遊技機を載置可能とされるとともに、載置される遊技機に応じて柱部（Ｈ１〜Ｈ５）に沿って上下方向に移動してフレーム部Ｆに対して所定高さにて固定可能とされた載置台３が取り付けられた載置手段１と、載置手段１が所定高さに固定された状態で柱部（Ｈ１〜Ｈ５）との間の隙間により生じるガタを防止するガタ防止手段１５とを具備したので、解体することなくパチンコ遊技機Ｐ及びスロットマシンＳのどちらも設置とすることができるとともに、所定高さに固定された載置手段１がガタ付いてしまうのを防止して、パチンコ遊技機Ｐ及びスロットマシンＳの何れを設置した場合であっても、遊技機の安定した設置状態を維持させることができる。
【０１００】
また、下部取付部材２ｂに連結された左右の側板部２ａに対して上部板材Ｎ又は収容棚Ｊを固定させることで枠体２を構成するとともに、当該枠体２の側板部２ａにガタ防止手段１５が形成されたので、フレーム部Ｆに対して枠体２全体を安定させることができ、パチンコ遊技機Ｐ及びスロットマシンＳの何れを設置した場合であっても、遊技機の安定した設置状態をより確実に維持させることができる。
【０１０１】
さらに、枠体２は、側板部２ａが柱部（Ｈ１〜Ｈ５）に延設された溝形状から成る案内部Ｈ２ａにて案内されて上下方向に移動可能とされるとともに、ガタ防止手段１５は、当該側板部２ａから案内部Ｈ２ａに向かって突出形成された突出部１６を有し、当該突出部１６を案内部Ｈ２ａに当接させることによりガタを防止するので、設置した遊技機がガタ付いてしまうのを、より確実に防止することができる。
【０１０２】
またさらに、突出部１６は、側板部２ａの所定部位に取り付けられる揺動軸１５ｂを中心として揺動可能なアーム部１５ａに形成されるとともに、当該アーム部１５ａを揺動操作することにより、突出部１６が案内部Ｈ２ａと当接する当接位置と、当該突出部１６が案内部Ｈ２ａから離間した離間位置との間で移動可能とされたので、ガタ防止のための作業性を向上させることができるとともに、載置手段１の移動をより容易に行わせることができる。
【０１０３】
さらに、上記実施形態に係る島設備によれば、床面ｆに固設されるとともに、上下に延びる柱部（Ｈ１〜Ｈ５）が形成されたフレーム部Ｆと、遊技機を載置可能とされるとともに、載置される遊技機に応じて柱部（Ｈ１〜Ｈ５）に沿って上下方向に移動して当該柱部（Ｈ１〜Ｈ５）に対して係止して所定高さにて固定可能とされた載置台３が取り付けられた載置手段１と、載置手段１の柱部（Ｈ１〜Ｈ５）に対する係止を解除するのを規制する規制手段Ｃ１、Ｃ２とを具備したので、解体することなくパチンコ遊技機Ｐ及びスロットマシンＳのどちらも設置とすることができるとともに、遊技機の載置手段１の係止が誤って解除されてしまうのを防止することができる。
【０１０４】
特に、柱部（Ｈ１〜Ｈ５）に係止して載置手段１を固定させるとともに、所定の操作によって当該係止を解除して当該載置手段１を柱部（Ｈ１〜Ｈ５）に対して上下方向に移動可能とさせ得る操作手段１４を具備するものとされ、規制手段Ｃ１、Ｃ２は、当該操作手段１４の操作を規制するので、載置手段１の係止及び係止の解除のための操作をより円滑に行わせることができ、かつ、遊技機の載置手段１の係止が誤って解除されてしまうのを防止することができる。
【０１０５】
また、本実施形態に係る操作手段１４は、操作者が引っ張り操作可能なレバー部１４ｂを有し、当該レバー部１４ｂに対する引っ張り操作によって係止位置から解除位置に移動可能とされるとともに、規制手段Ｃ１、Ｃ２は、レバー部１４ｂの引っ張り操作を規制するので、レバー部１４ｂによって操作性をより向上させることができ、かつ、規制手段Ｃ１、Ｃ２にてレバー部１４ｂを誤って引っ張り操作してしまうのを確実に防止することができる。
【０１０６】
またさらに、載置手段１が上方に向かって移動する際、操作手段１４の係止部１４ａと当接して当該係止部１４ａを解除位置に向かって移動させ得る干渉防止部Ｃ１ｃが形成されるとともに、当該干渉防止部Ｃ１ｃは、規制手段Ｃ１に一体形成されて成るので、操作手段１４に対する操作が行われない状態で載置手段１を上方に向かって移動させても、操作手段１４がボス部Ｂ１（被係止部）と干渉してしまうのを防止することができ、かつ、当該ボス部Ｂ１（被係止部）との干渉防止機能と規制手段による規制機能とを兼用させることができる。
【０１０７】
さらに、上記実施形態に係る島設備によれば、床面ｆに固設されるとともに、上下に延びる柱部（Ｈ１〜Ｈ５）が形成されたフレーム部Ｆと、遊技機を載置可能とされるとともに、載置される遊技機に応じて柱部（Ｈ１〜Ｈ５）に沿って上下方向に移動して当該柱部（Ｈ１〜Ｈ５）に対して係止して所定高さにて固定可能とされた載置台３が取り付けられた載置手段１とを具備し、当該載置台３に複数のパチンコ遊技機Ｐ又は複数のスロットマシンＳを載置させるので、解体することなくパチンコ遊技機Ｐ及びスロットマシンＳのどちらも設置とすることができるとともに、柱部（Ｈ１〜Ｈ５）を削減することができ、製造コストを低減させることができる。
【０１０８】
特に、本実施形態においては、柱部（Ｈ１〜Ｈ５）に係止して載置手段１を固定させるとともに、所定の操作によって当該係止を解除して当該載置手段１を柱部（Ｈ１〜Ｈ５）に対して上下方向に移動可能とさせ得る操作手段１４を具備したので、容易かつ円滑にパチンコ遊技機ＰとスロットマシンＳとを任意選択的に設置することができ、設置状態の切り替え時の作業性を向上することができる。
【０１０９】
また、本実施形態においては、下部取付部材２ｂに連結された左右の側板部２ａに対して上部板材Ｎ又は収容棚Ｊを固定させることで枠体２を構成するとともに、フレーム部Ｆの柱部（Ｈ１〜Ｈ５）に対して当該枠体２が一体的に上下動可能とされたので、枠体２に対して複数の遊技機（パチンコ遊技機Ｐ又はスロットマシンＳ）を設置することができ、設置状態の切り替え時の作業性をより向上することができる。
【０１１０】
さらに、上記実施形態に係る島設備によれば、遊技球案内手段６は、載置手段１にスロットマシンＳを載置した際、そのスロットマシンＳからメダル回収手段５までの間のメダルの排出経路から外れた退避位置まで移動可能とされたので、解体することなくパチンコ遊技機Ｐ及びスロットマシンＳのどちらも設置とすることができるとともに、パチンコ遊技機Ｐ又はスロットマシンＳの何れが設置された場合であっても、当該パチンコ遊技機Ｓ又はスロットマシンＳから排出された遊技球及びメダルを確実かつ円滑に回収させることができる。
【０１１１】
また、遊技球案内手段６は、遊技球回収手段４の上部において揺動自在に取り付けられ、揺動して跳ね上げた状態とすることにより退避位置まで移動可能とされたので、スロットマシンＳの設置状態とパチンコ遊技機Ｐの設置状態とを容易に変更することができる。しかるに、本実施形態においては、遊技球案内手段６は、遊技球回収手段４の上部において揺動自在に取り付けられ、揺動して跳ね上げた状態とすることにより退避位置まで移動可能とされているが、これに代えて、遊技球案内手段が遊技球回収手段４の上部に対して脱着可能に取り付けられ、取り外されることにより退避位置まで移動可能とするものとしてもよい。この場合、パチンコ遊技機Ｐの設置状態からスロットマシンＳの設置状態に変更した際、遊技球案内手段６が邪魔になってしまうのを確実に回避することができる。
【０１１２】
さらに、本実施形態に係る遊技球案内手段６は、パチンコ遊技機Ｐから排出された遊技球を受けて遊技球回収手段４まで案内し得る受け面が形成されたので、パチンコ遊技機Ｐから排出された遊技球を確実に遊技球回収手段４まで案内することができる。またさらに、本実施形態においては、遊技球案内手段６が退避位置とされた状態で、スロットマシンＳから排出されたメダルをメダル回収手段５まで案内するメダル案内手段８が取り付けられるので、スロットマシンＳから排出されたメダルを確実にメダル回収手段５まで案内することができる。
【０１１３】
なお、本実施形態においては、遊技機を載置可能な載置台３を有するとともに、該載置台３に載置される遊技機に応じて上下方向に移動可能とされ、かつ、所定高さにて固定可能とされた載置手段１を具備したので、パチンコ遊技機Ｐ及びスロットマシンＳを低コストにて任意に設置することができるとともに、島設備を解体することなくパチンコ遊技機Ｐ及びスロットマシンＳのどちらも設置することができる。また、パチンコ遊技機Ｐの設置及びスロットマシンＳの設置を共用し得るので、パチンコ遊技機ＰとスロットマシンＳとを混合させつつそれぞれを規定の設置状態にて容易かつ円滑に設置することができる。
【０１１４】
特に、本実施形態に係る載置台３は、パチンコ遊技機Ｐが載置された状態の第１位置Ｐａと、スロットマシンＳが載置された状態の第２位置Ｓａとの間で移動可能とされるとともに、当該第１位置Ｐａの方が第２位置Ｓａより高い位置に設定されたので、パチンコ遊技機ＰとスロットマシンＳとを混合させつつそれぞれを規定の設置状態にて円滑かつ確実に設置することができる。
【０１１５】
また、本実施形態に係る載置手段１は、下部取付部材２ｂに連結された左右一対の側板部２ａに対して上部板材Ｎ又は収容棚Ｊを固定させることで枠体２を構成し、載置台３が当該枠体２に取り付けられて構成されるとともに、当該載置台３に載置された遊技機（パチンコ遊技機Ｐ又はスロットマシンＳ）の上部を上板部２ｂにて支持するので、載置台３を含む枠体２全体を遊技機に応じて上下方向に移動することができ、遊技機を設置する際の作業性をより向上させることができる。さらに、枠体２の上下方向に対する移動を案内する案内部（Ｈ２ａ）が形成されたので、パチンコ遊技機ＰとスロットマシンＳとを混合させつつそれぞれを規定の設置状態にてより円滑かつ確実に設置することができる。
【０１１６】
またさらに、本実施形態によれば、パチンコ遊技機Ｐから排出された遊技球を回収する遊技球回収手段４と、スロットマシンＳから排出されたメダルを回収するメダル回収手段５とが上下に並設されるとともに、遊技球回収手段４の方がメダル回収手段５より上側に位置するので、パチンコ遊技機Ｐ及びスロットマシンＳから排出される遊技球及びメダルの回収を確実かつ円滑に行わせることができる。
【０１１７】
また、本実施形態に係る載置台３は、遊技機（具体的には、スロットマシンＳ）を載置する部位の近傍に切欠きｋが形成され、スロットマシンＳから排出されたメダルをメダル回収手段５まで案内するメダル案内手段８が当該切欠きｋに取付可能とされたので、載置手段１（具体的には、載置台３）にスロットマシンＳを載置させた際のメダルの回収を確実に行わせることができる。
【０１１８】
さらに、本実施形態によれば、遊技機を載置可能とされるとともに載置される遊技機に応じて前後方向に移動して所定位置にて固定可能とされた載置台３が取り付けられた載置手段１を具備したので、パチンコ遊技機Ｐ及びスロットマシンＳを低コストにて任意に設置することができるとともに、パチンコ遊技機ＰとスロットマシンＳとを混合させつつそれぞれを規定の設置状態にて容易かつ円滑に設置することができる。
【０１１９】
特に、本実施形態に係る載置台３は、パチンコ遊技機Ｐが載置された状態の前後方向第１位置Ｐｂと、スロットマシンＳが載置された状態の前後方向第２位置Ｓｂとの間で移動可能とされるとともに、当該前後方向第１位置Ｐｂの方が前後方向第２位置Ｓｂより前方の位置に設定されたので、パチンコ遊技機ＰとスロットマシンＳとを混合させつつそれぞれを規定の設置状態にて円滑かつ確実に設置することができる。
【０１２０】
またさらに、本実施形態によれば、パチンコ遊技機Ｐから排出された遊技球を遊技球回収手段４まで案内する遊技球案内手段６を具備したので、載置手段１にパチンコ遊技機Ｐを載置させた際の遊技球の回収を確実に行わせることができる。加えて、本実施形態によれば、遊技球案内手段６と、メダル案内手段８とを具備したので、パチンコ遊技機Ｐから排出された遊技球とスロットマシンＳから排出されたメダルとを区分けして、これら遊技球及びメダルが混入してしまうのを回避しつつそれぞれを確実に回収させることができる。
【０１２１】
さらに、本実施形態に係る載置手段１は、下部取付部材２ｂに連結された左右一対の側板部２ａに対して上部板材Ｎ又は収容棚Ｊを固定させることで枠体２を構成し、載置台３が当該枠体２に取り付けられて構成されるとともに、当該枠体２に対して載置台３が前後に移動可能とされ、かつ、当該載置台３に載置された遊技機（パチンコ遊技機Ｐ又はスロットマシンＳ）の上部を上板部２ｂにて支持するので、載置する遊技機に応じて載置台３を前後させつつその遊技機の上部を支持させることができ、遊技機を設置する際の作業性をより向上させることができる。
【０１２２】
また、パチンコ遊技機Ｐから排出された遊技球を回収する遊技球回収手段４と、スロットマシンＳから排出されたメダルを回収するメダル回収手段５とが上下に並設されるとともに、遊技球回収手段４がメダル回収手段５より上方の位置に配設されたので、パチンコ遊技機ＰとスロットマシンＳとを混合して設置させた場合であっても、当該パチンコ遊技機Ｐ及びスロットマシンＳのそれぞれから排出された遊技球及びメダルを確実かつ円滑に回収させることができる。
【０１２３】
すなわち、通常、パチンコ遊技機Ｐの方がスロットマシンＳより高い位置に設置されることから、パチンコ遊技機Ｐから排出される遊技球を回収する遊技球回収手段４の方がスロットマシンＳから排出されるメダルを回収するメダル回収手段５より上方の位置に配設することで、遊技機の規定の設置位置に応じた遊技球又はメダルの回収を行わせることができ、遊技球及びメダルの確実かつ円滑な回収を行わせることができるのである。
【０１２４】
特に、本実施形態において、パチンコ遊技機Ｐの方がスロットマシンＳより上方の位置に載置されたので、パチンコ遊技機ＰとスロットマシンＳとを混合させつつそれぞれを規定の設置状態にて容易かつ円滑に設置することができる。すなわち、島設備に設置される遊技機においては、パチンコ遊技機Ｐに対する操作位置（ハンドル位置）はスロットマシンＳに対する遊技位置（押圧ボタン位置）より高い位置にあり、パチンコ遊技機Ｐの方がスロットマシンＳより上方の位置にて遊技されるので、その遊技位置に応じた規定の設置状態とすることができるのである。
【０１２５】
またさらに、本実施形態に係る遊技球回収手段４及びメダル回収手段５は、それぞれ独立した駆動源（具体的には、モータＭ１及びモータＭ２）を具備するとともに、それぞれが任意速度で駆動され得るので、回収すべき遊技媒体（遊技球又はメダル）に応じて駆動速度を設定（例えば遊技球回収手段４の搬送速度の方がメダル回収手段５の搬送速度より遅く設定する等）することができ、より確実かつ円滑に遊技球又はメダルを回収させることができる。
【０１２６】
さらに、本実施形態によれば、パチンコ遊技機Ｐから排出された遊技球を回収する遊技球回収手段４と、スロットマシンＳから排出されたメダルを回収するメダル回収手段５とが上下に並設されるとともに、当該遊技球回収手段４及びメダル回収手段５は、島設備の幅方向Ｗに対して中央で延設されたので、パチンコ遊技機ＰとスロットマシンＳとを混合して設置させた場合であっても、当該パチンコ遊技機Ｐ及びスロットマシンＳのそれぞれから排出された遊技球及びメダルを確実かつ円滑に回収させることができる。
【０１２７】
すなわち、上述したように、通常、パチンコ遊技機Ｐの方がスロットマシンＳより高い位置に設置されることから、パチンコ遊技機Ｐから排出される遊技球を回収する遊技球回収手段４の方がスロットマシンＳから排出されるメダルを回収するメダル回収手段５より上方の位置に配設することで、遊技機の規定の設置位置に応じた遊技球又はメダルの回収を行わせることができ、遊技球及びメダルの確実かつ円滑な回収を行わせることができるのである。
【０１２８】
加えて、遊技球回収手段４及びメダル回収手段５が島設備の幅方向Ｗに対して中央で延設されたので、島設備における一方の面に設置された遊技機から遊技球回収手段４及びメダル回収手段５までの離間寸法と、島設備における他方の面に設置された遊技機から遊技球回収手段４及びメダル回収手段５までの離間寸法とを略同一とすることができ、パチンコ遊技機から排出された遊技球の回収とスロットマシンから排出されたメダルの回収とを円滑かつ確実に行わせることができる。
【０１２９】
さらに、本実施形態によれば、パチンコ遊技機Ｐに遊技球を補給する遊技球補給手段１１と、スロットマシンＳにメダルを補給するメダル補給手段１２とを有するとともに、当該遊技球補給手段１１及びメダル補給手段１２は、左右に並設された搬送コンベアから成るので、パチンコ遊技機ＰとスロットマシンＳとを混合して設置させた場合であっても、当該パチンコ遊技機Ｐ及びスロットマシンＳのそれぞれに補給する遊技球及びメダルを確実かつ円滑に補給させることができる。
【０１３０】
特に、本実施形態においては、遊技球補給手段１１からパチンコ遊技機Ｐに遊技球を案内する第１案内手段Ａ１と、メダル補給手段１２からスロットマシンＳにメダルを案内する第２案内手段Ａ２とを有するとともに、設置される遊技機に応じて第１案内手段Ａ１及び第２案内手段Ａ２が遊技球補給手段１１又はメダル補給手段１２の任意位置に設置可能とされたので、設置島に対して任意の位置にパチンコ遊技機Ｐ又はスロットマシンＳを設置することができる。
【０１３１】
また、本実施形態に係る遊技球補給手段１１及びメダル補給手段１２は、それぞれ独立した搬送ベルト１１ａ、１２ａを有するので、遊技球補給手段１１又はメダル補給手段１２における搬送ベルト１１ａ、１２ａの何れか一方が破損又は変形した際、その搬送ベルトのみ交換することができる。また、遊技媒体（遊技球又はメダル）に応じた搬送面を有した搬送ベルト１１ａ、１２ａを用いることができ、より確実かつ円滑に遊技球及びメダルを搬送して対応する遊技機に補給させることができる。
【０１３２】
以上、本実施形態について説明したが、本発明はこれに限定されるものではなく、例えば、側板部用取付部２ｂａが下部取付部材２ｂの上面に形成されたものの他、当該下部取付部材２ｂの正面や背面等、他の外周面に形成されたものであってもよい。また、本実施形態に係る操作手段１４は、下部取付部材２ｂの下面に取り付けられるものとされているが、当該下部取付部材２ｂの正面又は背面等、他の外周面に形成されたものであってもよい。なお、本実施形態においては、操作手段１４をボス部Ｂ１、Ｂ２（被係止部）に係止させ、その操作手段１４に下部取付部材１ｂを取り付けることで隣接する柱部の間で位置決めさせているが、他の手段にて位置決めするよう構成してもよい。
【０１３３】
載置手段１について、遊技機を載置可能とされるとともに載置される遊技機に応じて上下方向に移動して所定位置にて固定可能とされた載置手段が取り付けられたものであれば足り、例えば前後方向第１位置と前後方向第２位置との間で移動しないものとしてもよい。また、操作手段１４は、柱部に係止して載置手段１を固定させるとともに、所定の操作によって当該係止を解除して当該載置手段１を柱部に対して上下方向に移動可能とさせ得るものであれば、上記実施形態と異なる構成のものであってもよい。さらに、ガタ防止手段１５は、載置手段１が所定高さに固定された状態で柱部との間の隙間により生じるガタを防止するものであれば、上記実施形態と異なる構成のものであってもよい。またさらに、規制手段Ｃ１、Ｃ２は、載置手段１の柱部に対する係止を解除するのを規制するものであれば、上記実施形態と異なる構成のものであってもよい。さらに、本実施形態においては、規制手段Ｃ１の所定部位に干渉防止部Ｃ１ｃが一体的に形成されているが、規制手段Ｃ１とは別個に干渉防止部を形成するようにしてもよい。
【０１３４】
なお、遊技媒体（遊技球及びメダル）を回収するための遊技球回収手段４及びメダル回収手段５は、上記実施形態のものに限定されず、他の形態のものとしてもよい。なお、遊技球及びメダルを混在させつつ回収した後、それら遊技球とメダルとを選別してパチンコ遊技機Ｐ及びスロットマシンＳに補給するようにしてもよい。さらに、遊技球補給手段１１及びメダル補給手段１２は、上記実施形態のものに限定されず、他の形態のものとしてもよく、或いは遊技機に対する遊技球又はメダルの何れか一方若しくは両方の補給を作業員が手作業にて行うものとしてもよい。
【産業上の利用可能性】
【０１３５】
載置台に設置すべき遊技機に応じて、遊技機の上部を支持するための上部板材又は遊技媒体を収容する容器を保持可能な収容棚を任意取り付け可能とされた側板部を具備した島設備であれば、他の形態のものであってもよい。
【符号の説明】
【０１３６】
１  載置手段
２ａ  側板部
２ｂ  下部取付部材
２ｃ  ステー
３  載置台
４  遊技球回収手段
５  メダル回収手段
６  遊技球案内手段
７  支持フレーム
８  メダル案内手段
９  遊技球揚送手段
１０  メダル揚送手段
１１  遊技球補給手段
１２  メダル補給手段
１３  遊技機用椅子
１４  操作手段
１５  ガタ防止手段
１６  突出部
１７  ストッパ
１８  パチンコ遊技機用保護部材
１９  スロットマシン用保護部材
２０  取付部材
Ｐ  パチンコ遊技機
Ｓ  スロットマシン
Ｎ  上部板材
Ｊ  収容棚
【図１】
2015016031.tif 000003
【図２】
2015016031.tif 000004
【図３】
2015016031.tif 000005
【図４】
2015016031.tif 000006
【図５】
2015016031.tif 000007
【図６】
2015016031.tif 000008
【図７】
2015016031.tif 000009
【図８】
2015016031.tif 000010
【図９】
2015016031.tif 000011
【図１０】
2015016031.tif 000012
【図１１】
2015016031.tif 000013
【図１２】
2015016031.tif 000014
【図１３】
2015016031.tif 000015
【図１４】
2015016031.tif 000016
【図１５】
2015016031.tif 000017
【図１６】
2015016031.tif 000018
【図１７】
2015016031.tif 000019
【図１８】
2015016031.tif 000020
【図１９】
2015016031.tif 000021
【図２０】
2015016031.tif 000022
【図２１】
2015016031.tif 000023
【図２２】
2015016031.tif 000024
【図２３】
2015016031.tif 000025
【図２４】
2015016031.tif 000026
【図２５】
2015016031.tif 000027
【図２６】
2015016031.tif 000028
【図２７】
2015016031.tif 000029
【図２８】
2015016031.tif 000030
【図２９】
2015016031.tif 000031
【図３０】
2015016031.tif 000032
【図３１】
2015016031.tif 000033
【図３２】
2015016031.tif 000034
【図３３】
2015016031.tif 000035
【図３４】
2015016031.tif 000036
【図３５】
2015016031.tif 000037
【図３６】
2015016031.tif 000038
【図３７】
2015016031.tif 000039
【図３８】
2015016031.tif 000040
【図３９】
2015016031.tif 000041
【図４０】
2015016031.tif 000042
【図４１】
2015016031.tif 000043
【図４２】
2015016031.tif 000044